(57)【特許請求の範囲】
【請求項１】
内部に張設した分選網によって内部を上流側の室と下流側の室とに仕切っている中空ケーシングの前部中央に上記分選網に向かって粒状物を導入する導入管を連結、連通させていると共に上記上流側の室の前部中央部内に上記導入管の開口端に臨ませて、粒状物を中空ケーシングの中央部側から外周方向に拡散させる外周面が前端から後端に向かって拡径した拡散部材を配設してあり、さらに、中空ケーシングの後部に吸引手段を配設してこの吸引手段による吸気力によって上記導入管内を通じて中空ケーシング内に導入される粒状物を上記分選網によりふるい分けして上記分選網を通過した細粒子を下流側の室から粒状物導出管を通じて回収し、上記分選網に捕捉された粗粒子を落下させて上記上流側の室の下周部に開口させている粗粒子回収管を通じて回収するように構成した分級装置において、上記分選網の前面中央部に、上記拡散部材を通過した粒状物の一部の流突によって上記分選網の中央部が磨滅、損傷するのを防止する金属製の粒状物流突板を取り付けていることを特徴とする粒状物の分級装置。
【請求項２】
粒状物流突板は導入管の内径の１．５〜２．５倍の直径を有する円板からなると共に、分選網の直径を粒状物流突板の２〜３倍に形成していることを特徴とする請求項１に記載の粒状物の分級装置。
【発明の詳細な説明】
【技術分野】
【０００１】
本発明は、樹脂粒子や無機粒子などの粒状物を気流によって分選網側に送り込み、この分選網によって粗粒子と細粒子とにふるい分ける粒状物の分級装置に関する。
【背景技術】
【０００２】
従来から、樹脂粒子や無機粒子等の粒状物を所望の粒径にふるい分けする分級装置としては、例えば、特許文献１に記載されているように、内部に分選網を張設している中空ケーシングの前部中央に、粒状物をこの中空ケーシング内に送り込む上流側管路を設けると共に、中空ケーシングの後部、即ち、下流側に、吸引ブロワに連結、連通した下流側管路を設け、上記吸引ブロワの吸気力によって上流側管路に中空ケーシング内に向かう気流を発生させ、この気流によって粒状物を中空ケーシング内に導入して分選網によりこの分選網を通過する細粒子と通過しない粗粒子とにふるい分け、通過した細粒子を下流側管路を通じてサイクロン等を介して回収する一方、通過しない粗粒子を落下させると共に分選網の後面側からのエアの吹き付けによって分選網に付着した粗粒子を分選網から脱落させて排出管路を通じて回収するように構成した分級装置が知られている。
【０００３】
また、特許文献２には、上記特許文献１に記載の分級装置において、中空ケーシングの前部中央部内に、導入口の開口端に臨ませて、粒状物を中空ケーシンドの中央部側から外周方向に拡散させる円錐形状の拡散部材を配設した構造を有する粒子ふるい装置が記載されている。
【先行技術文献】
【特許文献】
【０００４】
【特許文献１】特開２００６−２６３７１３号公報
【特許文献２】特開昭５３−４０４６９号公報
【発明の概要】
【発明が解決しようとする課題】
【０００５】
しかしながら、上記特許文献１に記載された分級装置によれば、上流側管路から中空ケーシング内に流入する粒状物が、この中空ケーシング内で径方向に均一に分散することなく、下流側管路に対向している分選網の中央部に向かって多量の粒状物が集中的に流動し、分選網の中央部に流突してその網部分の磨滅が早くなり、短期間で破損に至るといった問題点があった。このように分選網が破損すると、当然のことながら粒状物を粗粒子と細粒子とに正確にふるい分けすべき操作ができなくなり、細粒子側に粗粒子が混入してしまい、目的とする製品が得られなくなる。そのため、定期的に分選網を点検し、安全を期して破損に至る時間的な余裕をかなり多くみて分選網を交換しなければならなかった。
【０００６】
一方、特許文献２に記載された粒子ふるい装置によれば、中空ケーシングの前部中央部内に、導入口の開口端に臨ませて、粒状物を中空ケーシングの中央部側から外周方向に拡散させる円錐形状の拡散部材を配設しているので、この拡散部材によって粒状物を一旦、中空ケーシングの外周方向に分散させることができるが、吸引ブロワの吸気力によって拡散部材の背面側に負圧が発生しているため、粒状物を運ぶ気流が拡散部材を通過した際に、この負圧によって拡散部材の背面側に巻き込まれるように流動する乱流となり、拡散部材によって一旦、拡散した粒状物が再び中央部に向かって集束するように流動して上記同様に分選網の中央部に集中的に流突し、その網部分が短期間で磨滅、破損するといった問題点があった。
【０００７】
本発明はこのような問題点に鑑みてなされたもので、その目的とするところは、分級時に分選網の中央部に向かって集中的に流突する粒状物による磨滅、破損を防止して長期間に亘り精度のよいふるい分けを行うことができる粒状物の分級装置を提供するにある。
【課題を解決するための手段】
【０００８】
上記目的を達成するために本発明の粒状物の分級装置は、請求項１に記載したように、内部に張設した分選網によって内部を上流側の室と下流側の室とに仕切っている中空ケーシングの前部中央に上記分選網に向かって粒状物を導入する導入管を連結、連通させていると共に上記上流側の室の前部中央部内に上記導入管の開口端に臨ませて、粒状物を中空ケーシングの中央部側から外周方向に拡散させる外周面が前端から後端に向かって拡径した拡散部材を配設してあり，さらに、中空ケーシングの後部に吸引手段を配設してこの吸引手段による吸気力によって上記導入管内を通じて中空ケーシング内に導入される粒状物を上記分選網によりふるい分けして上記分選網を通過した細粒子を下流側の室から粒状物導出管を通じて回収し、上記分選網に捕捉された粗粒子を落下させて上記上流側の室の下周部に開口させている粗粒子回収管を通じて回収するように構成した分級装置において、上記分選網の前面中央部に、上記拡散部材を通過した粒状物の一部の流突によって上記分選網の中央部が磨滅、損傷するのを防止する金属製の粒状物流突板を取り付けていることを特徴とする。
【０００９】
このように構成した粒状物の分級装置において、請求項２に係る発明は、粒状物流突板は導入管の内径の１．５〜２．５倍の直径を有する円板からなると共に、分選網の直径を粒状物流突板の２〜３倍に形成していることを特徴とする。
【発明の効果】
【００１１】
請求項１に係る発明によれば、中空ケーシングの前部中央にこの中空ケーシング内に張設した分選網に向かって粒状物を導入する導入管を設けていると共に中空ケーシングの後部に吸引手段を配設してあり、この吸引手段による吸気力によって上記導入管を通じて中空ケーシング内に導入される粒状物を上記分選網によってふるい分けするように構成した分級装置において、上記導入管の開口端に対面する分選網の前面中央部に粒状物流突板を取り付けているので、導入管の開口端からこの導入管に対面した分選網の中央部に向かって供給される多量の粒状物を分選網の前面中央部に取り付けている上記粒状物流突板に流突させて分選網に直接、流突するのを防止することができ、従って、分選網の中央部に向かって流動する多量の粒状物による分選網の磨滅や損傷をなくして長期の使用に供することができると共に、流突板の前面に流突した粒状物をこの流突板の全面に沿って移動させて周囲の網部分により確実にふるい分けすることができ、粒状物の分級効率を確保することができる。
【００１２】
さらに、請求項２に係る発明によれば、上記粒状物の流突板は、導入管の内径の１．５〜２．５倍の直径を有する円板からなるものであるから、気流と共に導入管の開口端から中空ケーシング内に流入する多量の粒状物のうち、中空ケーシングの径方向に拡散する粒状物は流突板により遮られることなくこの流突板の外周方に露出している分選網の広い外周部分によって確実に且つ効率よくふるい分けすることができると共に、分選網の中央部に向かって集中的に流動する粒状物のみを円板からなる上記流突板によって受止して分選網の中央部が粒状物の流突によって摩損するのを確実に防止することができる。
【００１３】
また、本発明によれば、上記中空ケーシングの前部中央部内に導入管の開口端に臨ませて、粒状物を中空ケーシングの中央部側から外周方向に拡散させる外周面が前端から後端に向かって拡径した拡散部材を配設しているので、多量の粒状物が導入管から中空ケーシング内に供給される際に、この拡散部材によって積極的に粒状物を径方向に拡散させることができる利点を有する。しかし、前述のように、拡散部材の背面には吸引手段による吸気力によって負圧が発生し、その負圧によって拡散部材の傾斜面に沿って流動する気流が拡散部材を通過するや否や拡散部材の背面に向かう乱流となって、気流中の粒状物が再び中央部に集束され、この状態で分選網の中央部に流突して分選網を磨滅、損傷させることになる。本発明においては上述したように、分選網の前面中央部に粒状物を受止する流突板を配設しているので、分選網の中央部が粒状物の流突によって磨滅したり損傷するのを防止することができると共に拡散作用も発揮させることができる。
【図面の簡単な説明】
【００１４】
【図１】本発明の粒状物分級装置の全体構成を示す簡略図。
【図２】その要部の縦断側面図。
【発明を実施するための形態】
【００１５】
本発明の具体的な実施の形態の一例を図面について説明すると、図１、図２において、粒状物の分級装置は装置本体である円筒状に形成された中空ケーシング１と、この中空ケーシング１内に張設された分選網２と、中空ケーシング１の前面板1aの中央部に上記分選網２の前面に向かって対面させてその開口端3aを分選網２の前面中央部に同一軸心上で対向させている粒状物導入管３と、分選網２の背面側における中空ケーシング１内の後部に連結、連通している粒状物導出管４と、この粒状物導出管４の後端開口部をその上端部内に接線方向に連通させているサイクロン５と、このサイクロン５の上端に連通させている吸気管６と、吸気管６の後端にその吸引口を連結させている吸引ブロワからなる吸引手段７と、上記導入管３にその下端を連通させている粒状物投入ホッパ８と、上記分選網２の後面側に配設されて分選網２に向かってエアを吹きつける回転ノズル９と、分選網２に捕捉された粒状物における粗粒子の回収容器10と、分選網２を通過した粒状物における細粒子の回収容器11とからなり、上記導入管３の開口端に対面する分選網２の前面中央部（中心部）に粒状物の流突板12を取り付けている。
【００１６】
装置本体である上記中空ケーシング１は、円筒形状に形成されていると共に図２に示すように、その前後開口端に前後板1a、1bの外周端縁をそれぞれ一体に固着して後面板1bにより中空ケーシング１の後端開口部を密閉していると共に、前面板1aは中空ケーシング１の前端から前方に向かって徐々に小径となる円錐形状に形成されてあり、その前端中央部に一定径を有する上記導入管３の前端開口部を連通させて上記分選網２の前面中央部（中心部）に対向させている。この分選網２は、金属線材を編成して所望の大きさの網目、即ち目開きと開孔率を有する網に形成してなり、この分選網２の外周端縁にリング状の取付けフレーム13を固着して、この取付フレーム13を中空ケーシング１の長さ方向の中間部における内周面に突設したフランジにネジ止め等により着脱自在に固定している。
【００１７】
分選網２の後面側に配設している上記回転ノズル９は、分選網２の半径に略等しい長さを有する管の管壁の前側管壁部に分選網２の後面に向かって開口した多数の細かいエア噴射孔9aを全長に亘り設けてなり、分選網２の中心から半径方向にこの分選網２と平行に配設してその内端を分選網２の後方において中空ケーシング１の中心線上に配設されたエア供給管14の前端にこのエア供給管14の長さ方向に対して直角に連結、連通させてあり、このエア供給管14を中空ケーシング１の後面板1bの中心から中空ケーシング１外に気密状態で回転自在に貫通させ、中空ケーシング１外において、このエア供給管14の後端をコンプレッサ等の加圧空気供給源（図示せず）に連結、連通させていると共に後端部をモータ等の回転駆動機構15に連結している。
【００１８】
分選網２によって前後に仕切られている中空ケーシング１内において、前側、即ち、上流側の室17の下周部には粗粒子回収管16の上端開口部を開口させてあり、この粗粒子回収管16の下端に上記粗粒子回収容器10を接続している一方、分選網２の後方側の中空ケーシング１内の室、即ち、下流側の室18に上記粒状物導出管４を連結、連通させている。また、上記サイクロン５の下端開口部に細粒子回収容器11を接続している。
【００１９】
分選網２の前面中央部に取り付けている上記流突板12は、ステンレス等の金属製の円板からなり、その直径は上記導入管３の内径の１．５〜２．５倍に形成されている。この流突板12の径が導入管３の内径の１．５倍未満であると、気流によって導入管３から中空ケーシング１内に導入される粒状物がこの流突板12の周囲の分選網２の網部分に分選網２の外周部側よりも多量に流突してその網部分が磨滅、破損し易くなり、また、２．５倍を超えると、粒状物をふるい分けする分選網２の面積が縮小されて、粒状物の分級効率が低下する。さらに、この分選網２の直径を流突板12の直径の２〜３倍に形成して、流突板12を設けているにもかかわらず、粒状物の分級効率が一定値以上となるように確保している。    
【００２０】
この流突板12を分選網２の前面中央部に取り付けるには、分選網２の後面中央部に当て板19を当てがってこの当て板19と流突板12とにより分選網２の中央部を挟持させた状態にしてこれらの流突板12と当て板19とをネジ等によって一体に連結、固定すればよく、その他の取付手段を採用してもよい。
【００２６】
さらに、中空ケーシング１の上流側の室17の前部中央部内に円錐形状に形成されている拡散部材20を、その先端を導入管３の中心に向けて中空ケーシング１側に向かって開口している導入管３の開口端3aに臨ませた状態にして配設している。なお、この拡散部材20はその円錐形状の面を導入管３の開口端3aから一定の間隔を存した状態にして支持杆21により中空ケーシング１の前面板1aに固定、支持されている。
【００２７】
このように構成したので、図１、図２に示すように、吸引手段７を作動させてその吸気力により、吸気管６、サイクロン５、導出管４、中空ケーシング１内を通じて導入管３内に中空ケーシング１側に向かう気流を発生させ、導入管３に連通している粒状物投入ホッパ８に細粒子と粗粒子とが混在している多量の粒状物Ａを投入すると、粒状物Ａは上記気流によって導入管３内を中空ケーシング１側に運ばれ、導入管３の開口端3aから中空ケーシング１内に流入する時に、この開口端3aに臨ませている拡散部材20の円錐形状の傾斜周面によって粒状物Ａが径方向に拡散されながら中空ケーシング１の上流側の室17内に分散し、分選網２に達した時に、この粒状物Ａに混在する分選網２の網目よりも小さい細粒子A1は分選網２を通過して下流側の室18に入る一方、分選網２の網目よりも大きい粒状物Ａ中の粗粒子A2は、分選網２に捕捉される。
【００２８】
分選網２を通過した細粒子A1は下流側の室18から導出管４内に吸引され、サイクロン５に達してこのサイクロン５内を落下し、細粒子回収容器11に回収される。一方、分選網２に捕捉された粗粒子A2は分選網２の前面に沿って落下して粗粒子回収容器10に回収されると共に、分選網２の網目に食い込んだり付着している粗粒子A2は、上記回転ノズル９のエア噴射孔9aから噴出する高圧エアによって分選網２から脱落し、粗粒子回収容器10に回収される。
【００２９】
このように、分選網２によって粒状物Ａを細粒子A1と粗粒子A2とにふるい分けするが、導入管３から上記拡散部材20の傾斜周面を伝って中空ケーシング１内に拡散する粒状物Ａは、拡散部材20上を通過後に、再び多量の粒状物Ａが中空ケーシング１内の中央部（中心部）に集合しながら分選網２の中央部に向かって流動し、その中央部に流突して分選網２の中央部が外周部よりも短期間で磨滅、損傷するので、これを防止するために、分選網２の前面中央部に上記粒状物流突板12を取り付けている。
【００３０】
拡散部材20上を通過した粒状物Ａが、再び中空ケーシング１の中央部側に集合する現象は次のようにして発生していると考えられる。即ち、吸引手段７の吸気力によって拡散部材20の背面側が負圧となり、そのため、粒状物Ａを運ぶ気流が拡散部材20を通過した際に、この負圧によって拡散部材20の背面側に巻き込まれる方向に移動する乱流となり、拡散部材20によって一旦、強制的に拡散させられた粒状物Ａの一部が拡散部材20を通過した直後に上記乱流によって再び中央部に向かって集束し、その状態で分選網２の前面中央部に取り付けている流突板12に流突し、拡散して流突板12の外周端縁から露出している分選網２の網部分に達した時に、この網部分によって網目を通過する細粒子A1と通過しない粗粒子A2とにふるい分けられ、それぞれの回収容器10、11に回収される。
【００３１】
分選網２によってふるい分けられる粒状物Ａとしては、例えば、ポリアクリル酸エステル粒子、ポリメタクリル酸メチル粒子などのポリメタクリル酸エステル粒子などのアクリル系粒子、ナイロン粒子、ポリスチレン粒子、シリコーン粒子、ウレタン粒子、ポリエチレン粒子等の合成樹脂粒子、シリカ粒子、金属微粒子などの無機粒子を挙げることができる。
【実施例】
【００３２】
〔合成樹脂粒子の製造例〕
攪拌器付きの５０００リットルのオートクレーブ内に水３０００重量部、ピロリン酸マグネシウム６０重量部、ドデシルベンゼンスルホン酸ナトリウム０．３重量部、アゾビスイソブチロニトリル０．９重量部、メタクリル酸メチル１０００重量部を供給して７０℃の条件下にてオートクレーブ内を高速攪拌しながら６時間に亘って懸濁重合してポリメタクリル酸メチル粒子を製造した。
【００３３】
しかる後、オートクレーブ内を冷却した上でポリメタクリル酸メチル粒子を濾過、分離してポリメタクリル酸メチル粒子の洗浄、脱水を行った後に乾燥させてポリメタクリル酸メチル粒子９３１重量部を得た。ポリメタクリル酸メチル粒子は、その平均粒径が１８．７μｍ、変動係数が３５．８％、粒径が３２μｍ以上の粒子の占める割合が６．２重量％であった。
【００３４】
なお、ポリメタクリル酸メチル粒子の平均粒径は、電気抵抗法によって測定され、体積平均粒径を意味し、ポリメタクリル酸メチル粒子の平均粒径及び変動係数は下記の要領で測定した。
【００３５】
ポリメタクリル酸メチル粒子の平均粒径は、ベックマンコールター社から商品名「コールターマルチサイザー II 」で市販されている測定装置を用いて測定した。なお、ベックマンコールター社（Ｃｏｕｌｔｅｒ  Ｅｌｅｃｔｏｒｏｎｉｃｓ  Ｌｉｍｉｔｅｄ）発行のＲＥＦＥＲＥＮＣＥ  ＭＡＮＵＡＬ  ＦＯＲ  ＴＨＥ  ＣＯＵＬＴＥＲＭＵＬＴＩＳＩＺＥＲ（１９８７）に従って、直径１００μｍのアパチャーを用いてキャリブレーションを行い測定した。
【００３６】
具体的には、０．１重量％濃度のノニオン界面活性剤溶液１０ミリリットル中にポリメタクリル酸メチル粒子０．１ｇをタッチミキサー及び超音波を用いて予備分散させて予備分散溶液を得た。
【００３７】
次に、測定装置に備え付けのビーカー中に測定用電解液（ベックマンコールター社製商品名「ＩＳＯＴＯＮ  ＩＩ」）を供給し、この測定用電解液中に該測定用電解液を緩く撹拌しながら上記予備分散溶液をスポイドを用いて滴下して本体画面の濃度計の示度が１０重量％程度となるように調整した。
【００３８】
続いて、測定装置に、アパチャーサイズとして「１００μｍ」、Ｃｕｒｒｅｎｔとして「８００」、Ｇａｉｎとして「４」、Ｐｏｌａｒｉｔｙとして「＋」を入力して、ｍａｎｕａｌモードにて測定を行った。測定中はビーカー内の測定用電解液を気泡が入らない程度に撹拌しておき、ポリメタクリル酸メチル粒子を１０万個測定した時点で測定を終了して、体積加重の平均径（体積％モードの算術平均粒径：体積メジアン径）をポリメタクリル酸メチル粒子の平均粒径として算出した。
【００３９】
そして、上記測定によって得られたポリメタクリル酸メチル粒子の粒径分布から標準偏差を算出し、下記式（１）に基づいて、ポリメタクリル酸メチル粒子における体積分布の変動係数を算出した。
変動係数（ＣＶ値）（％）＝１００×標準偏差／体積平均粒径・・・式（１）
【００４０】
（実施例１）
上述のようにして得られた９３１Ｋｇのポリメタクリル酸メチル中から粗粒子、即ち、粒径が３２μｍ以上のポリメタクリル酸メチル粒子を取り除くため、図２に示した粒状物の分級装置を用いてポリメタクリル酸メチル粒子の分級を行った。拡散部材20は、底面の直径が１５０ｍｍで且つ高さが１３０ｍｍの円錐形状に形成されており、その先端を導入管３の軸芯に向けて中空ケーシング１側に向かって開口している導入管3 の開口端3aに臨ませた状態にして配設されていた。
【００４１】
なお、分選網２は、その直径が１０００ｍｍの円形状で、目開きが３２μｍ、開孔率が２８％、線径が２５μｍであった。分選網２の前面中央部に、ステンレス製の直径が４００ｍｍで且つ厚みが１ｍｍの円形状の流突板12を取り付けた。分選網２の中心と流突板12の中心とが合致するように調整した。導入管３の内径は２００ｍｍであった。
【００４２】
具体的には、粒状物の分級装置における吸引ブロアからなる吸引手段７を作動させて、その吸気力４０ｍ3／分によって吸気管６、サイクロン５、導出管４、中空ケーシング１内を通じて導入管３内に中空ケーシング１側に向かう気流を発生させると共に、導入管３に連通している粒状物投入ホッパ８に、細粒子と粗粒子とが混在している多量のポリメタクリル酸メチル粒子Ａを投入して、粒状物Ａを上記気流によって導入管３内を中空ケーシング１側に供給量１７０ｋｇ／ｍ2／時間にて運び、導入管３の開口端3aから中空ケーシング１における上流側の室17内に拡散しながら流入させ、ポリメタクリル酸メチル粒子を分選網２によって分級した。
【００４３】
上記粒状物の分級装置によるポリメタクリル酸メチル粒子の分級は２３７分で終了し、得られた細粒子の平均粒径が１８．４μｍであり、粒状物投入ホッパ８内に供給したポリメタクリル酸メチル粒子のうちの８７２Ｋｇ（９３．７重量％）を細粒子として得ることができた。
【００４４】
また、上述の要領でポリメタクリル酸メチル粒子の分級を繰返し行ったが、ポリメタクリル酸メチル粒子の分級を３０回繰り返して行っても分選網２に破れは発生しなかった。    
【００４５】
（実施例２）
流突板12の直径を４５０ｍｍとしたこと以外は実施例１と同様にしてポリメタクリル酸メチル粒子を分選網２によって分級した。
【００４６】
上記粒状物の分級装置によるポリメタクリル酸メチル粒子の分級は２６０分で終了し、得られた細粒子の平均粒径が１８．６μｍであり、粒状物投入ホッパ８内に供給したポリメタクリル酸メチル粒子のうちの８７０．５Ｋｇ（９３．５重量％）を細粒子として得ることができた。
【００４７】
また、上述の要領でポリメタクリル酸メチル粒子の分級を繰返し行ったが、ポリメタクリル酸メチル粒子の分級を３０回繰り返して行っても分選網２に破れは発生しなかった。    
【００４８】
（実施例３）
拡散部材を配設していないこと以外は実施例１で用いられた粒状物の分級装置と同一の構成を有する粒状物の分級装置を用意し、この分級装置を用いて実施例１と同様の要領でポリメタクリル酸メチル粒子の分級を行った。
【００４９】
上記粒状物の分級装置によるポリメタクリル酸メチル粒子の分級は２４０分で終了し、得られた細粒子の平均粒径が１８．６μｍであり、粒状物投入ホッパ８内に供給したポリメタクリル酸メチル粒子のうちの８７１Ｋｇ（９３．６重量％）を細粒子として得ることができた。
【００５０】
また、上述の要領でポリメタクリル酸メチル粒子の分級を繰返し行ったが、ポリメタクリル酸メチル粒子の分級を３０回繰り返して行っても分選網２に破れは発生しなかった。    
【００５１】
（比較例１）
分選網の前面中央部に流突板を取り付けていない粒状物の分級装置を用いたこと以外は実施例１同様の要領でポリメタクリル酸メチル粒子の分級を行った。
【００５２】
上記粒状物の分級装置によるポリメタクリル酸メチル粒子の分級は２４５分で終了し、得られた細粒子の平均粒径が１８．５μｍであり、粒状物投入ホッパ８内に供給したポリメタクリル酸メチル粒子のうちの８７２Ｋｇ（９３．７重量％）を細粒子として得ることができた。
【００５３】
また、上述の要領でポリメタクリル酸メチル粒子の分級を繰返し行ったところ、ポリメタクリル酸メチル粒子の分級を８回繰り返したところで分級網の中央部に破れが発生した。
【符号の説明】
【００５４】
１  中空ケーシング
２  分選網
３  導入管
４  導出管
５  サイクロン
６  吸気管
７  吸引手段
８  粒状物投入ホッパ
９  回転ノズル
9a  エア噴射孔
12  流突板
【図１】
0005631609.tif 000002
【図２】
0005631609.tif 000003